(57)【要約】【課題】測定装置を用いた試験測定に際しては、測定接続子を介した短絡や感電等を引き起こさないように、測定接続子の接続作業に細心の注意を払う必要があるばかりでなく、絶縁テープ等で被覆し固定する事前の準備作業が加わることになり、これらの作業自体が面倒なうえに、作業工数が増えて手間がかかるのが避けられなかった。【解決手段】測定装置Ａの測定接続子ａを出し入れすることができ、入り込んだ測定接続子ａの通電部を覆って露出させない収納状態にする、絶縁性の収納容器１１（２１）と、収納容器１１（２１）の内部に配置されて、測定装置Ａによって測定される対象である測定対象装置Ｂの通電端子部ｂに接続し、収納状態にある測定接続子ａの通電部の接触状態による通電を可能にする導電部１２とを有する。【選択図】図１
2015014466.tif 000002
【特許請求の範囲】
【請求項１】
測定装置の測定接続子を出し入れすることができ、入り込んだ前記測定接続子の通電部を覆って露出させない収納状態にする、絶縁性の収納容器と、
前記収納容器の内部に配置されて、前記測定装置によって測定される対象である測定対象装置の測定用出力端子に接続し、収納状態にある前記測定接続子の通電部の接触状態による通電を可能にする導電部と
を有する中継アダプタ。
【請求項２】
前記導電部は、前記測定接続子の通電部を挟み込み状態に保持させて継続的に通電状態とする継続導電部、及び前記測定接続子の通電部を接触操作毎に通電状態とする接触導電部を有する請求項１に記載の中継アダプタ。
【請求項３】
測定装置によって測定される対象である測定対象装置であって、
前記測定装置の測定接続子を外部から前記収納容器に出し入れ可能に、請求項１または２に記載の中継アダプタを組み込んだ測定対象装置。
【請求項４】
請求項１または２に記載の中継アダプタの前記収納容器を、前記測定装置の測定接続子を前記収納容器に出し入れ可能に並置し、電気的に接続されていない２個を一組として一組或いは複数組をユニット化した中継ユニット。
【請求項５】
請求項１または２に記載の中継アダプタの前記収納容器を２個、前記測定装置の測定接続子を前記収納容器に出し入れ可能に並置し、前記各収納容器の導電部に保護ヒューズを介して商用電源取り出し用のコンセントプラグの端子を接続した中継ユニット。
【請求項６】
請求項１または２に記載の中継アダプタの前記収納容器を３個、前記測定装置の測定接続子を前記収納容器に出し入れ可能に並置し、一端を接続した保護ヒューズ、ブザー、ブザー用電源の各他端を前記各収納容器の導電部に接続した中継ユニット。
【発明の詳細な説明】
【技術分野】
【０００１】
この発明は、測定装置と測定対象装置の間に介在させる中継アダプタ及び中継ユニットに関し、特に、測定対象装置である電気通信設備に組み込まれた電機・電子回路の試験測定に用いられて、測定装置の測定接続子と電気通信設備の測定用出力端子を接続する中継アダプタ及び中継ユニットに関する。
【背景技術】
【０００２】
従来、測定装置を用いて、測定対象装置の電気・電子回路の試験測定を行う場合、測定装置に接続されたテストリード線の先端に装着された測定接続子（例えば、蓑虫クリップやプローブ或いはテスタ棒等）を、測定対象装置に備えられた測定用出力端子である通電端子部に接続して、電圧等の測定を行っていた。
【０００３】
ところで、測定装置を用いた試験測定は、電気通信設備に付随する電源設備の更改工事においても行われているが、一般に、電気通信設備（特に、電話交換機）は稼動年数が長いのに対し、電源設備は稼動年数が短いことから、工事は、電気通信設備に電源設備を接続し通電した状態のまま（所謂、活電状態）で行われる。つまり、電話交換機における電源設備の更改は、一度運転を始めたら止められない電話交換機の電源供給状態を、あらゆる測定装置を駆使しながら監視して、電圧変動を伴わないように電源設備を並列接続しながら、即ち、両方の電圧を同じにしたまま徐々に一方を下げ他方を上げて電流を載せていき、切り替えて行くのが通例である。
【０００４】
このような状況の下、電源設備の更改工事においては、複数の測定装置を同時に使用する必要があるが、電話交換機には、複数の測定装置の各測定接続子を同時に接続するための通電端子部のスペースが十分に設けられていない場合が多いことから、測定接続子同士を接続した（例えば、複数の蓑虫クリップが挟み合った）状態で絶縁テープを巻き、測定接続子に対する絶縁処理と固定処理を共に行いながら、恰も蛸足配線状態で複数の測定装置を使用していた。これは、電気通信設備の大半が、通信事業者によって研究・開発された特殊な構造を有し、メーカとの共同開発等の過程を経て発注・納品されるものであり、コスト低減を図る上で使用頻度の低い試験用の通電端子部は空きスペース等に追加的に設けられるためである。
【０００５】
なお、外部に露出する通電端子部に測定装置の測定用端子を安全に接続し電圧等の測定を行うものとして、例えば「測定用アダプタ」（特許文献１参照）が知られている。
【先行技術文献】
【特許文献】
【０００６】
【特許文献１】特開２００６−３００８７７号公報
【発明の概要】
【発明が解決しようとする課題】
【０００７】
しかしながら、測定装置の各測定接続子を通電端子部に接続する際に、測定接続子の通電部分に作業者の手が触れてしまう虞や、測定接続子の種類が異なっていたり何重にも重なり合ってうまく取り付けられなかったりして、通電端子部から測定接続子が外れてしまう虞があった。このため、測定装置を用いた試験測定に際しては、測定接続子を介した短絡や感電等を引き起こさないように、測定接続子の接続作業に細心の注意を払う必要があるばかりでなく、絶縁テープ等で被覆し固定する事前の準備作業が加わることになり、これらの作業自体が面倒なうえに、作業工数が増えて手間がかかるのが避けられなかった。
【０００８】
この発明の目的は、面倒な作業を必要としない上に手間がかからず、測定接続子を介した短絡や感電等を引き起こすことなく、測定接続子を測定対象装置の通電端子部に接続することができる中継アダプタ及び中継ユニットを提供することである。
【課題を解決するための手段】
【０００９】
上記目的を達成するため、この発明に係る中継アダプタは、測定装置の測定接続子を出し入れすることができ、入り込んだ前記測定接続子の通電部を覆って露出させない収納状態にする、絶縁性の収納容器と、前記収納容器の内部に配置されて、前記測定装置によって測定される対象である測定対象装置の測定用出力端子に接続し、収納状態にある前記測定接続子の通電部の接触状態による通電を可能にする導電部とを有している。
また、この発明の他の態様に係る中継アダプタは、前記導電部が、前記測定接続子の通電部を挟み込み状態に保持させて継続的に通電状態とする継続導電部、及び前記測定接続子の通電部を接触操作毎に通電状態とする接触導電部を有している。
【００１０】
この発明に係る測定対象装置は、測定装置によって測定される対象である測定対象装置であって、前記測定装置の測定接続子を外部から前記収納容器に出し入れ可能に、上記中継アダプタを組み込んでいる。
この発明に係る中継ユニットは、上記中継アダプタの前記収納容器を、前記測定装置の測定接続子を前記収納容器に出し入れ可能に並置し、電気的に接続されていない２個を一組として一組或いは複数組をユニット化している。
【００１１】
この発明に係る中継ユニットは、上記中継アダプタの前記収納容器を２個、前記測定装置の測定接続子を前記収納容器に出し入れ可能に並置し、前記各収納容器の導電部に保護ヒューズを介して商用電源取り出し用のコンセントプラグの端子を接続している。
また、この発明に係る中継ユニットは、上記中継アダプタの前記収納容器を３個、前記測定装置の測定接続子を前記収納容器に出し入れ可能に並置し、一端を接続した保護ヒューズ、ブザー、ブザー用電源の各他端を前記各収納容器の導電部に接続している。
【発明の効果】
【００１２】
この発明に係る中継アダプタ及び中継ユニットによれば、絶縁性の収納容器により、測定装置の測定接続子を出し入れすることができ、入り込んだ測定接続子の通電部を覆って露出させない収納状態にし、収納容器の内部に配置され、測定装置によって測定される対象である測定対象装置の測定用出力端子に接続する導電部により、収納状態にある測定接続子の通電部の接触状態による通電を可能にするので、面倒な作業を必要としない上に手間がかからず、測定接続子を介した短絡や感電等を引き起こすことなく、測定接続子を測定対象装置の通電端子部に接続することができる。
【図面の簡単な説明】
【００１３】
【図１】この発明の第１実施の形態に係る中継アダプタを模式的に示す斜視説明図である。
【図２】図１の中継アダプタにおけるプローブ使用例を模式的に示す斜視説明図である。
【図３】この発明の第２実施の形態に係る中継アダプタを模式的に示す斜視説明図である。
【図４】測定対象装置に組み込まれる中継アダプタを示し、（ａ）は装着状態の断面図、（ｂ）は分解構成図である。
【図５】この発明の第３実施の形態に係る中継ユニットを模式的に示し、（ａ）は装置全体の斜視説明図、（ｂ）は回路図である。
【図６】この発明の第４実施の形態に係る中継ユニットを模式的に示し、（ａ）は装置全体の斜視説明図、（ｂ）は回路図である。
【図７】この発明の第５実施の形態に係る中継ユニットを模式的に示し、（ａ）は装置全体の構成を分解して示す斜視説明図、（ｂ）は回路図である。
【発明を実施するための形態】
【００１４】
以下、この発明を実施するための形態について図面を参照して説明する。
（第１実施の形態）
図１は、この発明の第１実施の形態に係る中継アダプタを模式的に示す斜視説明図である。図１に示すように、中継アダプタ１０は、開口を有する容器状の収納容器１１と、収納容器１１の内部に配置された導電部１２とを有しており、測定装置Ａと、測定装置Ａによって測定される対象である測定対象装置Ｂとの間に介在させて、測定装置Ａによる測定対象装置Ｂの試験測定に際し測定対象装置Ｂからの出力を中継する中継装置として用いられる。
【００１５】
測定装置Ａは、電圧計や波形測定器等の各種測定機器であって、測定対象装置Ｂである電気通信設備等に組み込まれた電機・電子回路等の試験測定に用いられる。測定装置Ａにはテストリード線Ｌが接続され、テストリード線Ｌには、導電性部材からなる通電部分を有する、クリップ（例えば、鰐口クリップ、蓑虫クリップ）やプローブ或いはテスタ棒等の測定接続子ａが装着されている。この測定接続子ａは、測定装置Ａの測定目的や測定方法に応じて適するものが用いられ、その通電部分を、電気通信設備、例えば、電話交換機に備えられた測定用出力端子である通電端子部ｂに接触させることにより、通電端子部ｂにおける電圧等、測定対象装置Ｂの出力値となる電気信号を検出することができる。
【００１６】
収納容器１１は、例えば、樹脂部材により形成されて電気絶縁性を備えた、開口形状が円形或いは多角形等の有底筒体からなり、測定接続子ａを開口から出し入れすることができると共に、容器内部に入り込んだ測定接続子ａの少なくとも通電部分を覆って露出させない収納状態にすることができる形状及び大きさを有する。つまり、収納容器１１の深さは、例えば、導電部１２を挟み込んだクリップの露出する通電部分を完全に隠すことができる長さにする。
【００１７】
導電部１２は、導電性部材により、クリップによる挟持やプローブによる引掛け或いはテスタ棒による接触等、測定接続子ａによる通電操作が可能な形状及び大きさに形成されており、収納容器１１の内部深さ方向略中央の、例えば、円形開口における直径位置となる対向面間に架け渡されている。この導電部１２は、使用されるクリップが、挟み込んだ状態で係止することができる太さ及び複数個横並びに配置することができる長さを有しており、また、使用されるプローブの先端屈曲（ループ）部を引っ掛けて係止することができる太さを有している。
【００１８】
なお、導電部１２の形状は、棒状の他、筒状或いは板状でも良く、断面形状も円形、多角形或いはＩ字状やＬ字状でも良い。導電部１２の長さ及び収納容器１１の大きさは、使用が想定されるクリップやプローブ或いはテスタ棒の形状や大きさ及び横並び数等に応じて決定する。
一例として、収納容器１１は、開口内径を１０ｍｍから５０ｍｍ、深さを開口端の下方１５ｍｍから４０ｍｍとし、導電部１２は、架け渡し位置を開口端の下方１０ｍｍから３０ｍｍ、外径を１ｍｍから１．６ｍｍとする。
【００１９】
導電部１２の一端、例えば、収納容器１１の周壁外に突出させた突出端１２ａには、ターミナル端子１３が取り付けられている。ターミナル端子１３には、半田付けやねじ止め或いはコネクタ等の各種接続手段を用いて、配線コード１４の一端が接続され、この配線コード１４の他端は、測定対象装置Ｂに備えられた通電端子部ｂに接続されている。これにより、収納容器１１の導電部１２は、配線コード１４を介して測定対象装置Ｂの通電端子部ｂと電気的に接続されることになり、導電部１２において測定対象装置Ｂの通電端子部ｂから出力された電気信号を取り出すことができる。
【００２０】
また、収納容器１１には、ターミナル端子１３と共に配線コード１４を覆って、絶縁性部材からなる絶縁カバー１５が装着される。絶縁カバー１５により、配線コード１４を介して測定対象装置Ｂからの出力が伝達され通電状態となるターミナル端子１３が、露出することなく絶縁される。絶縁カバー１５は、配線コード１４との接続部であるターミナル端子１３の絶縁を確保すれば良いので、開口を除く収納容器１１全体を覆う筒形（図１参照）の他、ターミナル端子１３部のみを覆う帯状に形成しても良い。
なお、収納容器１１の開口は、着脱自在な、例えば、栓形の蓋を用いて塞いでおくことが望ましい。これにより、中継アダプタ１０を使用しないときに収納容器１１に塵埃等が侵入することや導電部１２が露出することを防止することができる。
【００２１】
次に、上述した中継アダプタ１０を用いた、測定装置Ａによる測定対象装置Ｂ（例えば、電話交換機）の測定作業の方法を説明する。ここでは、測定接続子ａとしてクリップが用いられる場合を示す。
先ず、測定対象装置Ｂの通電端子部ｂとターミナル端子１３を配線コード１４で接続し、開口を除き収納容器１１を外側から包み込むように絶縁カバー１５を装着した後、開口を上向きにして中継アダプタ１０を、例えば、床上に置く。
【００２２】
続いて、測定作業を行う作業者は、試験測定に使用する測定装置Ａに接続されている測定接続子ａを手に持ち、収納容器１１の開口から内部に差し込んで、容器内部に設置された導電部１２を測定接続子ａで挟み込む。測定接続子ａで導電部１２を挟み込むことにより、測定接続子ａは導電部１２に固定され、導電部１２を介して測定接続子ａと通電端子部ｂが通電状態になり、測定装置Ａにより測定対象装置Ｂからの出力値を測定することができる。即ち、導電部１２は、測定接続子ａであるクリップの通電部を挟み込み状態に保持させて継続的に通電状態とする継続導電部として機能する。
【００２３】
このとき、測定接続子ａが挟み込む導電部１２は、収納容器１１の内部に位置し、電気絶縁性を備えた収納容器１１で覆われることになるので、通電部分が露出せず、作業者の手が触れてしまうこともない。従って、短絡や感電等を引き起こす虞がないので、測定接続子ａの接続作業に細心の注意を払う必要がない。
測定終了後、作業者は、収納容器１１の開口から内部に手を差し込んで測定接続子ａを掴み、測定接続子ａを導電部１２から外して収納容器１１の開口から取り出す。このときも、通電部分が露出せず、作業者の手が触れてしまうこともないため、短絡や感電等を引き起こす虞がなく、測定接続子ａの離脱作業に細心の注意を払う必要がない。
【００２４】
また、複数の測定装置Ａを同時に使用して、測定対象装置Ｂに複数の測定装置Ａを接続する場合、測定作業を行う作業者は、手に持った一つ目の測定装置Ａの測定接続子ａで、収納容器１１の内部に設置された導電部１２を挟み込み、一つ目の測定接続子ａを導電部１２に固定する。その後、同様に、手に持った二つ目の測定装置Ａの測定接続子ａで導電部１２を挟み込み、一つ目の測定接続子ａと横並びにして二つ目の測定接続子ａを導電部１２に固定する。以後、必要な分の測定接続子ａを導電部１２に固定する。
このとき、複数の測定接続子ａは、測定接続子ａ同士を噛み合わせることなく、導電部１２に一列に並べた状態で接続し固定することができる。
【００２５】
従って、複数の測定装置Ａを同時に使用するために、複数の測定接続子ａを導電部１２に接続し固定する場合においても、上述した接続作業と同様に、測定接続子ａによる短絡や感電等を引き起こす虞がないので、測定接続子ａの接続作業に細心の注意を払う必要が無く、また、絶縁テープ等で被覆したり固定したりする事前の準備作業を必要としないので、面倒な作業をすることがなく、作業工数が増えて手間がかかることもない。
なお、測定接続子ａとして、クリップではなくプローブが用いられる場合にも、クリップと同様に作業を行うことができる。
【００２６】
図２は、図１の中継アダプタにおけるプローブ使用例を模式的に示す斜視説明図である。図２に示すように、測定接続子ａとしてプローブを用いる場合、導電部１２をクリップで挟み込む代わりに、導電部１２にプローブの先端屈曲（ループ）部を引っ掛け係止する。導電部１２に先端屈曲部が係止することにより、導電部１２とプローブが接触状態になり通電可能に接続される。その他の測定作業に関しては、測定接続子ａとしてクリップを用いる場合と同様である。
【００２７】
このように、中継アダプタ１０を用いることで、測定装置Ａの測定接続子ａ（クリップ、プローブ或いはテスタ棒等）を収納容器１１に収納した状態で測定接続子ａと測定用出力端子ｂが通電可能に接続されることになり、面倒な作業を必要としない上に手間がかからず、測定接続子ａによる短絡や感電等を引き起こすことなく、測定装置Ａの測定接続子ａを測定対象装置Ｂの通電端子部ｂに接続することができる。その上、複数の測定装置Ａの接続時に蛸足配線状態になることがなく、配線の接続状態が視覚的に単純化するため、測定対象装置Ｂにおける試験回路等の組み換え時間の短縮や、配線接続ミスの防止が可能になる。
【００２８】
（第２実施の形態）
図３は、この発明の第２実施の形態に係る中継アダプタを模式的に示す斜視説明図である。図３に示すように、中継アダプタ２０は、収納容器２１の底面に、導電部１２と導電性機能を有する連結部２２で連結された、導電性機能を有する底面導電部２１ａを設けており、測定接続子ａがテスタ棒である場合に適している。その他の構成及び作用は、第２実施の形態に係る中継アダプタ１０と同様である。
【００２９】
収納容器２１の底面導電部２１ａは、例えば、平坦な円盤状に形成され、収納部側壁に沿って配置された連結部２２を介して導電部１２と電気的に接続されると共に、収納容器２１の外部に配置されたターミナル端子１３に接続されている。これにより、収納容器１１の導電部１２及び底面導電部２１ａには、ターミナル端子１３に接続された配線コード１４を介して、測定対象装置Ｂの通電端子部ｂが電気的に接続される。なお、絶縁カバー１５を収納容器２１に装着することにより、ターミナル端子１３を露出することなく絶縁することができる。
【００３０】
収納容器２１の深さ、即ち、開口端から底面導電部２１ａまでの長さは、使用されるテスタ棒の長さ等に応じて決定するが、一例として、開口端の下方１５ｍｍから４０ｍｍに底面導電部２１ａが位置するようにする。
この中継アダプタ２０を用いることにより、測定接続子ａがテスタ棒である場合において、測定装置Ａによる測定対象装置Ｂ（例えば、電話交換機）の測定作業を行うことができる。測定作業に際し、作業者がテスタ棒を収納容器２１の上向きの開口から内部に差し入れ、その先端の通電部分を底面導電部２１ａに押し当てることにより、測定接続子ａであるテスタ棒は、底面導電部２１ａを介して通電端子部ｂと通電状態になるので、測定装置Ａによる測定対象装置Ｂからの出力値の検出が可能になる。
【００３１】
なお、テスタ棒は、収納容器２１に差し込んだまま容器壁に立てかけた状態にしても、その先端の通電部分と底面導電部２１ａが接触状態になり、底面導電部２１ａを介して通電端子部ｂと通電状態にすることができる。
このように、中継アダプタ２０は、導電部１２及び底面導電部２１ａの何れも、測定対象装置Ｂの通電端子部ｂと電気的に接続されるので、測定接続子ａとしてクリップ、プローブ及びテスタ棒が混在する場合でも、同時に使用することができる。つまり、中継アダプタ２０は、測定接続子ａであるクリップの通電部を挟み込み状態に保持させて継続的に通電状態とする継続導電部としての導電部１２と、測定接続子ａであるテスタ棒の通電部を接触操作毎に通電状態とする接触導電部としての底面導電部２１ａを、一つの収納容器２１内に有している。
【００３２】
上述した、第１実施の形態に係る中継アダプタ１０（図１参照）及び第２実施の形態に係る中継アダプタ２０（図３参照）は、例えば、床上に置いて使用されるが、測定装置Ａの測定接続子ａを測定対象装置Ｂの外部から収納容器１１（２１）に出し入れ可能に、測定対象装置Ｂに直接組み込んでも良い。
以下に、中継アダプタ２０を測定対象装置Ｂに組み込む場合の一例を示す。
【００３３】
図４は、測定対象装置に組み込まれる中継アダプタを示し、（ａ）は装着状態の断面図、（ｂ）は分解構成図である。図４に示すように、測定対象装置Ｂに直接組み込まれる中継アダプタ２０は、収納容器２１を、両端開口の円筒体Ｃ、及び円筒体Ｃの一端側開口を塞ぐ蓋状の有底円筒体Ｄにより形成し、円筒体Ｃと有底円筒体Ｄを導電部１２により一体化する（（ｂ）参照）と共に、円筒体Ｃの他端側開口を測定対象装置Ｂの板体部分ｃに露出させた状態で締結用ナットＮにより板体部分ｃに固定している（（ａ）参照）。この円筒体Ｃの他端側開口が収納容器２１の開口として、有底円筒体Ｄの底部が底面導電部２１ａとして、それぞれ機能する。
【００３４】
収納容器２１は、板体部分ｃの開口に挿入し、上端開口の内外両側に形成されたフランジの外側フランジＦを測定対象装置Ｂの板体部分ｃの上面側に係止させると共に、外周面上部に形成した雄ねじ部Ｓ１に締結用ナットＮの内周面に形成された雌ねじ部Ｓ２を螺着させて、外側フランジＦと締結用ナットＮの間に板体部分ｃを挟み込み、取り付けられている（図４（ａ）参照）。導電部１２は、円筒体Ｃと共に有底円筒体Ｄを貫通して、ターミナル端子１３を係止させた突出端１２ａを有底円筒体Ｄの外側に露出させている（図４（ａ）参照）。
【００３５】
このように、測定対象装置Ｂには、測定装置Ａの測定接続子ａを外部から収納容器１１或いは収納容器２１に出し入れ可能に、中継アダプタ１０或いは中継アダプタ２０が組み込まれており、この中継アダプタ組み込み測定対象装置により、測定装置Ａによる測定の都度、別に中継アダプタ１０，２０を用意する必要が無いので、測定作業を行うに際し、中継アダプタ１０，２０による効果を得ることができる上に、作業自体を容易、且つ、迅速に行うことができる。
【００３６】
（第３実施の形態）
図５は、この発明の第３実施の形態に係る中継ユニットを模式的に示し、（ａ）は装置全体の斜視説明図、（ｂ）は回路図である。図５（ａ）に示すように、中継ユニット３０は、筐体３１に、第２実施の形態に係る中継アダプタ２０を複数個（ここでは一例として６個）配置して形成され、測定接続子ａを出し入れする収納容器２１を介して、測定装置Ａによる測定対象装置Ｂ（例えば、電話交換機）の試験測定を行うに際し、測定対象装置Ｂからの出力中継装置として用いられる。
【００３７】
筐体３１は、密閉された内部空間を有する直方体状に形成されており、この筐体３１に、収納容器２１の開口側上端を筐体上面に露出させると共に、開口側上端を除く収納容器２１の略全体を筐体内部に埋設した状態で、３個ずつ二列に配置した計６個の中継アダプタ２０ａ〜２０ｆが組み込まれている（図５（ａ）参照）。各中継アダプタ２０（２０ａ〜２０ｆ）は、各ターミナル端子１３が筐体３１内に位置し筐体３１の外に露出することが無いので、絶縁カバー１５を装着することなく用いて、一列（３個）毎に、収納容器２１のターミナル端子（図示しない）に接続された配線コード１４を介して電気的に接続されている（図５（ａ），（ｂ）参照）。
【００３８】
従って、中継ユニット３０には、隣接し電気的に接続されていない一組の中継アダプタが計３組、中継アダプタ２０ａ，２０ｄと中継アダプタ２０ｂ，２０ｅと中継アダプタ２０ｃ，２０ｆが設けられることになる。
次に、上述した中継ユニット３０を用いた、測定装置Ａによる測定対象装置Ｂ（例えば、電話交換機）の測定作業の方法を説明する。
【００３９】
先ず、互いに電気的に接続されていない一組の中継アダプタ２０ａ，２０ｄと、測定対象装置Ｂの電気信号取り出し部である通電端子部ｂを、テストリード線Ｌの一端に装着された測定接続子ａを用いて接続する。測定接続子ａがクリップの場合、各クリップで、一組の中継アダプタ２０ａ，２０ｄの各収納容器１１の導電部１２を挟み込むことにより接続する。テストリード線Ｌの他端には、測定対象装置Ｂの通電端子部ｂの形状等に合わせた各種接続手段が装着されている。
【００４０】
続いて、一組の中継アダプタ２０ａ，２０ｄの各導電部１２にクリップを接続したテストリード線Ｌの各接続手段を、測定対象装置Ｂの通電端子部ｂに接続する。これにより、一組の中継アダプタ２０ａ，２０ｄを介して測定対象装置Ｂと中継ユニット３０が通電状態になり、通電端子部ｂを出力端として測定対象装置Ｂからの電気信号を取り出すことができる。
【００４１】
その後、クリップが接続された一組の中継アダプタ２０ａ，２０ｄ以外の中継アダプタ２０ｂ，２０ｃと中継アダプタ２０ｅ，２０ｆ、即ち、測定対象装置Ｂと通電状態になった中継ユニット３０の空いている中継アダプタ２０の各収納容器２１に、測定対象装置Ｂの試験測定に必要な複数の測定装置Ａにそれぞれ接続されたテストリード線Ｌの各測定接続子ａ、例えば、クリップやプローブ或いはテスタ棒を差し入れ、各測定接続子ａと導電部１２（底面導電部２１ａ）を接触状態にする。
この結果、測定対象装置Ｂと複数の測定装置Ａは、中継ユニット３０を介して電気的に接続することになり、面倒な作業を必要としない上に手間がかからず、測定接続子ａによる短絡や感電等を引き起こすことなく、複数の測定装置Ａの各測定接続子ａを測定対象装置Ｂの通電端子部ｂに通電可能に接続することができる。
【００４２】
このように、中継ユニット３０は、中継アダプタ２０の収納容器２１を、測定装置Ａの測定接続子ａを外部から出し入れ可能に並置し、電気的に接続されていない２個を一組として複数組をユニット化して形成されている。つまり、中継ユニット３０は、測定対象装置Ｂに備えられた電気信号を取り出す通電端子部ｂが一個しか無く、また、通電端子部ｂの周囲に複数の測定接続子ａを同時に接続するスペースが無い場合に、測定装置Ａの測定接続子ａ専用のテーブルタップ、即ち、分岐ボックスとして機能する。
なお、中継アダプタ２０は、上述した３組６個に限るものではなく、１組２個或いは複数組、必要に応じた組数を設けることができ、また、中継ユニット３０を、測定対象装置Ｂにおいて可能であれば、直接測定対象装置Ｂに組み込んで用いても良い。
【００４３】
（第４実施の形態）
図６は、この発明の第４実施の形態に係る中継ユニットを模式的に示し、（ａ）は装置全体の斜視説明図、（ｂ）は回路図である。図６（ａ），（ｂ）に示すように、中継ユニット４０は、筐体４１に、第２実施の形態に係る中継アダプタ２０を２個配置し、両中継アダプタ２０に保護ヒューズ４２を介して接続された、商用電源取り出し用のコンセントプラグ４３を有している。この中継ユニット４０は、測定接続子ａを出し入れする収納容器２１を備えた、測定装置Ａ（例えば、交流電圧計）の動作確認をするための動作試験用ユニットとして用いられる。
【００４４】
筐体４１は、密閉された内部空間を有する高さの低い直方体状に形成されており、この筐体４１に、収納容器２１の開口側上端を筐体上面に露出させると共に、開口側上端を除く収納容器２１の略全体を筐体内部に埋設した状態で、２個の中継アダプタ２０が組み込まれている。２個の中継アダプタ２０のそれぞれは、各ターミナル端子（図示しない）が筐体４１内に位置し筐体４１外に露出することが無いので、絶縁カバー１５を装着しない（図６（ａ）参照）。
【００４５】
コンセントプラグ４３は、商用電源のコンセントの刃受け穴に差し込まれる二つの刃（端子）を備えており、コンセントに接続することで１００Ｖ交流（ＡＣ）電圧を取り出すことができる。二つの刃のそれぞれに各配線コード４４により接続された保護ヒューズ４２（図６（ｂ）参照）はヒューズホルダ４２ａに格納されており、ヒューズホルダ４２ａは、一端側を筐体側面に露出させると共にその略全体を筐体内部に位置させている（図６（ａ）参照）。
【００４６】
次に、上述した中継ユニット４０を用いた、測定対象装置Ｂの試験測定を行う際に用いられる測定装置Ａ（例えば、交流電圧計）の動作確認方法を説明する。
先ず、中継ユニット４０のコンセントプラグ４２を商用電源のコンセントに差し込み、中継ユニット４０を商用電源と通電状態にする。
続いて、測定装置Ａである交流電圧計の測定レンジを交流電圧１００Ｖ以上に設定し、設定後、交流電圧計のテストリード線Ｌの一端に装着された測定接続子ａ、例えば、クリップやプローブ或いはテスタ棒を、２個の中継アダプタ２０の各収納容器２１に差し入れ、各測定接続子ａと導電部１２（底面導電部２１ａ）を接触状態にして、交流電圧計の動作確認を行う。
【００４７】
このとき、面倒な作業を必要としない上に手間がかからず、測定接続子ａによる短絡や感電等を引き起こすことなく、測定装置Ａの各測定接続子ａと導電部１２（底面導電部２１ａ）を接触状態にすることができ、測定装置Ａには、中継ユニット４０を介して商用電源が供給されることになる。
交流電圧計の動作確認の結果、交流電圧計が動作しない場合、交流電圧計の故障か、中継ユニット４０の保護ヒューズ４２の切断かを見極め、例えば、保護ヒューズ４２が切断している場合、交流電圧計のテストリード線Ｌの途中に芯線露出部や断線が無いかを確認する。
【００４８】
このように、中継ユニット４０を用いて、商用電源のコンセントから試験用１００Ｖ電圧を安全に取り出すことができ、電圧測定を行う際に使用する交流電圧計の使用前点検を、測定接続子ａによる短絡や感電等を引き起こすことなく、迅速、且つ、確実に行うことができる。
【００４９】
（第５実施の形態）
図７は、この発明の第５実施の形態に係る中継ユニットを模式的に示し、（ａ）は装置全体の構成を分解して示す斜視説明図、（ｂ）は回路図である。図７（ａ）に示すように、中継ユニット５０は、蓋付きの筐体５１に、開口部５２と導電部５３からなる中継アダプタ５４を３組配置すると共に、保護ヒューズ５５を格納したヒューズホルダ５５ａ、ブザー５６及びブザー駆動用の電池５６ａを有している。この中継ユニット５０は、測定接続子ａを出し入れする開口部５２を備えた、導通確認対象物の導通確認や測定装置Ａ（例えば、直流電圧計）の動作確認等をするための導通試験用ユニットとして用いられる。
筐体５１は、上面を開口とする高さの低い箱状に形成されており、蓋５１ａにより上面の開口を閉じて密閉空間を作ることができ、蓋体５１ａに３個の開口部５２ａ〜５２ｃが、筐体５１に３個の導電部５３ａ〜５３ｃが、それぞれ装着されている。
【００５０】
各開口部５２（５２ａ〜５２ｃ）は、蓋体５１ａ上下面を貫通して蓋体５１ａ上面に上端を露出させた、例えば、円環状に形成されており、第２実施の形態に係る中継アダプタ２０の収納容器２１の開口形成部分と同様の形状及び機能を有している。開口部５２ｂと開口部５２ｃは、蓋体５１ａの下面側に位置する可動蓋５７の移動により、両開口部５２ｂ，５２ｃの何れか一方のみが閉塞し他方が開口する状態になる。可動蓋５７は、開口部５２ｂと開口部５２ｃの何れかを選択的に閉塞することが可能な閉塞部５７ａと、作業者が手で操作するための操作部５７ｂを有する薄板状に形成されており、蓋体５１ａに設置した軸部５７ｃに軸支されて、両開口部５２ｂ，５２ｃの下側を通るように蓋体５１ａに沿って移動する。
【００５１】
各導電部５３（５３ａ〜５３ｃ）は、筐体５１内部のプリント基板５８に形成された、例えば、矩形平面の底面体５９と、例えば、下向きコ字状の導電体６０から構成されており、導電体６０は、底面体５９に両側脚部６０ａ，６０ａを接触させて底面体５９から立ち上がり、脚部間連結部６０ｂを底面体５９の上方に位置させている。底面体５９と導電体６０は、何れも導電性部材からなり、それぞれ第２実施の形態に係る中継アダプタ２０の収納容器２１の底面導電部２１ａと導電部１２に相当し、底面導電部２１ａと導電部１２と同様の機能を有している。
【００５２】
各導電部５３（５３ａ〜５３ｃ）の底面体５９と導電体６０は、筐体５１に蓋体５１ａを装着し筐体５１と蓋体５１ａを一体的に組み合わせたとき、蓋体５１ａの各開口部５２（５２ａ〜５２ｃ）に臨むように、導電部５３ａは開口部５２ａの、導電部５３ｂは開口部５２ｂの、導電部５３ｃは開口部５２ｃの、略直下にそれぞれ位置している。
ヒューズホルダ５５ａは、一端側を筐体側面に露出させると共にその略全体を筐体内部に位置させ（図７（ａ）参照）、ブザー５６及び電池５６ａは、筐体内部に格納されている。保護ヒューズ５５は一端を導電部５３ｃに、ブザー５６は一端を導電部５３ｂに、電池５６ａは負極（−）側を導電部５３ａに、それぞれ接続しており、保護ヒューズ５５及びブザー５６の他端は、電池５６ａの正極（＋）側に接続されている。
【００５３】
次に、上述した中継ユニット５０を用いた、導通確認対象物の導通確認及び測定装置Ａ（例えば、直流電圧計）の動作確認の確認作業方法を説明する。
第一の例として、中継ユニット５０を用いて導通確認対象物の導通確認作業を行う場合、先ず、作業者が手で可動蓋５７の操作部５７ｂを操作して、軸部５７ｃを回動中心として可動蓋５７を回転させ、開口部５２ｃと導電部５３ｃの間に閉塞部５７ａを位置させて開口部５２ｃのみを閉塞する。
【００５４】
続いて、導通確認対象物に接続しているテストリード線Ｌの一端に装着された一組の測定接続子ａ、例えば、クリップやプローブ或いはテスタ棒のそれぞれを、閉塞されずに開口している開口部５２ａ或いは開口部５２ｂから筐体５１の内部に差し入れ、導電部５３ａ或いは導電部５３ｂに接触させる。測定接続子ａのそれぞれと導電部５３ａ或いは導電部５３ｂが接触状態になることで、ブザー５６が中継ユニット５０、即ち、導通確認対象物を介して電池５６ａと通電状態になる。そして、ブザー５６が鳴動すれば、導通確認対象物が正常状態にあることが確認され、ブザー５６が鳴動しなければ、導通確認対象物に何らかの異常があり正常状態にないことが確認される。
【００５５】
この結果、導通確認対象物における電気配線やヒューズの溶断等を原因とした異常状態の発生を、ブザー５６の鳴動の有無により確認することができる。
このように、中継ユニット５０を用いることで、導通確認作業を行うために用いる測定接続子ａを、本来差し入れるべきでない開口部５２に誤って差し入れてしまう誤接続を防止することができる。つまり、導通確認作業を行うために測定接続子ａを開口部５２ａと開口部５２ｂに差し入れる際に、本来差し入れるべき開口部５２ａ，５２ｂ以外の開口部５２ｃは閉塞部５７ａにより塞がれており、測定接続子ａを差し入れることができないことが一目瞭然なので、作業者は、測定接続子ａを誤ることなく確実に、本来差し入れるべき開口部５２ａ，５２ｂに差し入れて、導電部５３ａ或いは導電部５３ｂと接触状態にすることができる。
【００５６】
第二の例として、中継ユニット５０を用いて測定装置Ａ（例えば、直流電圧計）の動作確認作業を行う場合、先ず、作業者が手で可動蓋５７の操作部５７ｂを操作して、軸部５７ｃを回動中心として可動蓋５７を回転させ、開口部５２ｂと導電部５３ｂの間に閉塞部５７ａを位置させて開口部５２ｂのみを閉塞する。
【００５７】
続いて、直流電圧計に接続しているテストリード線Ｌの一端に装着された一組の測定接続子ａ、例えば、クリップやプローブ或いはテスタ棒のそれぞれを、閉塞されずに開口している開口部５２ａ或いは開口部５２ｃから筐体５１の内部に差し入れ、導電部５３ａ或いは導電部５３ｃに接触させる。測定接続子ａのそれぞれと導電部５３ａ或いは導電部５３ｃが接触状態になることで、中継ユニット５０、即ち、直流電圧計が保護ヒューズ５５を経て電池５６ａと通電状態になる。そして、直流電圧計が作動すれば、直流電圧計が正常状態にあることが確認され、直流電圧計が作動しなければ、直流電圧計に何らかの異常があり正常状態にないことが確認される。
【００５８】
この結果、中継ユニット５０に内蔵した電池５６ａを電源として、直流電圧計に直流電圧を供給し直流電圧計を作動させることができ、直流電圧計が正常状態にあること或いは正常状態にないことを、直流電圧計それ自体の作動により確認することができる。なお、直流電圧計が作動しない場合、直流電圧計の故障か、中継ユニット５０の保護ヒューズ５５の溶断かを見極め、保護ヒューズ５５の溶断の場合、直流電圧計におけるテストリード線Ｌの接続確認等も行う。
このように、中継ユニット５０を用いることで、測定対象装置Ｂの電源の直流電圧を測定装置Ａである直流電圧計で測定する際に、直流電圧計の使用前点検をするための直流電圧を、内蔵する電池５６ａから保護ヒューズ５５を介して出力することができ、中継ユニット５０はバッテリーユニットとして機能する。
【００５９】
そして、直流電圧計の使用前点検に際し、導通確認作業を行うために用いる測定接続子ａを、本来差し入れるべきでない開口部５２に誤って差し入れてしまう誤接続を防止することができる。つまり、導通確認作業を行うために測定接続子ａを開口部５２ａと開口部５２ｂに差し入れる際に、本来差し入れるべき開口部５２ａ，５２ｂ以外の開口部５２ｃは閉塞部５７ａにより塞がれており、測定接続子ａを差し入れることができないことが一目瞭然なので、作業者は、測定接続子ａを誤ることなく、本来差し入れるべき開口部５２ａ，５２ｂに確実に差し入れて、導電部５３ａ或いは導電部５３ｂと接触状態にすることができる。
【００６０】
この中継ユニット５０において、可動蓋５７は、両開口部５２ｂ，５２ｃの上側を通るように蓋体５１ａに沿って移動しても良く、また、可動蓋５７の代わりに、例えば、開口部５２に挿入係止して閉塞可能な閉塞栓等を用いても良く、可動蓋５７や閉塞栓等の開口部５２を閉塞する閉塞手段により、開口部５２ｂと開口部５２ｃの何れかを選択的に閉塞することができる。
なお、上述した各中継ユニット３０，４０，５０において、収納容器２１を有する中継アダプタ２０の代わりに、底面導電部２１ａが無い収納容器１１を有する中継アダプタ１０を用いても良い。この場合でも、底面導電部２１ａによる機能を除いて中継アダプタ２０を用いた場合と同様の効果を得ることができる。
【符号の説明】
【００６１】
１０，２０，２０ａ〜２０ｆ，５４  中継アダプタ
１１，２１  収納容器
１２，５３，５３ａ〜５３ｃ  導電部
１２ａ  突出端
１３  ターミナル端子
１４，４４  配線コード
１５  絶縁カバー
２１ａ  底面導電部
２２  連結部
３０，４０，５０  中継ユニット
３１，４１，５１  筐体
４２，５５  保護ヒューズ
４２ａ，５５ａ  ヒューズホルダ
４３  コンセントプラグ
５１ａ  蓋
５２，５２ａ〜５２ｃ  開口部
５６  ブザー
５６ａ  電池
５７  可動蓋
５７ａ  閉塞部
５７ｂ  操作部
５７ｃ  軸部
５８  プリント基板
５９  底面体
６０  導電体
６０ａ  側脚部
６０ｂ  脚部間連結部
Ａ  測定装置
Ｂ  測定対象装置
Ｃ  円筒体
Ｄ  有底円筒体
Ｆ  外側フランジ
Ｌ  テストリード線
Ｎ  締結用ナット
Ｓ１  雄ねじ部
Ｓ２  雌ねじ部
ａ  測定接続子
ｂ  通電端子部
ｃ  板体部分
【図１】
2015014466.tif 000003
【図２】
2015014466.tif 000004
【図３】
2015014466.tif 000005
【図４】
2015014466.tif 000006
【図５】
2015014466.tif 000007
【図６】
2015014466.tif 000008
【図７】
2015014466.tif 000009